(57)【特許請求の範囲】
【請求項１】
鍼治療時に鍼体を摘んで保持する押手形成指と鍼体、および前記押手形成指と被治療者の施術野体表との間に介在する一側縁において連結された２片の挟み片と、
前記挟み片の連結側端縁に向けて開放され、押手形成指を挿入して前記挟み片を押手形成指に保持する指挿入部とを有し、
前記挟み片と指挿入部とが、消毒液に対する含浸性を有し、かつ、柔軟性を有する材料により形成される基体上に一体形成される鍼治療用押手装着具。
【請求項２】
前記基体が脱脂綿により形成される請求項１記載の鍼治療用押手装着具。
【請求項３】
前記指挿入部の少なくとも指腹対応面にはウイルスの透過を防止するバリア層が配置される請求項１または２記載の鍼治療用押手装着具。
【発明の詳細な説明】
【技術分野】
【０００１】
本発明は、鍼治療用押手装着具に関するものである。
【背景技術】
【０００２】
一般に鍼を使用した施術は、一方の手の手指（押手）で鍼体を挟むようにして支えた状態で他方の手（刺手）の指先で鍼体を刺入れて行われ、鍼治療時における感染症の感染防止を目的として押手に装着する装着具としては、特許文献１に記載のものが知られてている。この従来例において、装着具はシート状に形成され、押手の指先に貼り付けて使用される。
【０００３】
装着具は細菌に対するバリア性能を有しており、貼着状態において被治療者と施術者との接触による感染を防止する。
【先行技術文献】
【特許文献】
【０００４】
【特許文献１】特開２０１０−６４５４７号公報
【発明の概要】
【発明が解決しようとする課題】
【０００５】
しかし、上述した従来例において、施術の度に各押手形成指に装着具を貼り付ける操作が必要なために、面倒であるという欠点がある。
【０００６】
本発明は、以上の欠点を解消すべくなされたものであって、使い勝手の良好な鍼治療用押手装着具を提供することを目的とする。
【課題を解決するための手段】
【０００７】
本発明によれば上記目的は、
鍼治療時に鍼体１を摘んで保持する押手形成指２と鍼体１、および前記押手形成指２と被治療者の施術野体表３との間に介在する一側縁において連結された２片の挟み片４と、
前記挟み片４の連結側端縁に向けて開放され、押手形成指２を挿入して前記挟み片４を押手形成指２に保持する指挿入部５とを有し、
前記挟み片４と指挿入部５とが、消毒液に対する含浸性を有し、かつ、柔軟性を有する材料により形成される基体６上に一体形成される治療用押手装着具を提供することにより達成される。
【０００８】
一般に鍼治療は、被治療者の施術野の消毒、施術野の揉みほぐし（前揉）、鍼体１を挿入した鍼管８の押手による所定位置への保持（立管）、鍼体１の頭部を刺手により軽く叩いて鍼体１を皮下組織に進入させる切皮・弾入、鍼管８の抜管、鍼体１を所定深さまで刺し入れる刺入、鍼体１の抜鍼、施術野の揉みほぐし（後揉）、抜鍼部位の消毒という手順で行われる。
【０００９】
本発明によれば、鍼体１の刺入から抜鍼までが一連の動作として行われる単刺法の場合には、施術前の消毒操作時に挟み片４に消毒薬を含浸させた状態で押手に装着しておくと、以後の全操作を装着具を装着した状態で行うことが可能になり、刺入後所定時間鍼体１を放置した後、抜鍼が行われる置鍼法の場合であっても、施術前の消毒操作時と、抜鍼操作時に装着するだけで、装着状態においてその後の操作を行うことができる。
【００１０】
この結果、消毒動作の度に、消毒用の脱脂綿等の取り出し、廃棄操作を行う必要がなく、一連の動作として施術を行うことができるために、施術の効率が向上する。
【００１１】
また、装着は、指挿入部５に押手形成指２を挿入して行われるために、着脱操作が容易になる。
【００１２】
さらに、鍼体１の刺入により滲み出る血液等の体液はごく微量であることを勘案すると、挟み片４は施術者と被施術者とが直接接触することを防止する物理的隔壁として機能を十分に期待できる上に、挟み片４に含浸した消毒薬は、感染症の原因となるウイルス等の病原体に対する殺菌作用によりウイルスの隔壁内での移動を規制するために、感染を防止することが可能になる。
【００１３】
装着具の指挿入部５は、押手形成指２の指先を挿入可能であれば、指先を完全に挿入可能な筒形状であっても、あるいは一部が開放され、開放部に紐、あるいはベルトを架設したものであってもよい。また、指挿入部５は、挟み片４ごとに１個設ける以外、１個の挟み片４に複数個設けたり、あるいは各指挿入部５は１本の指先を挿入可能にする以外に、複数本の指先を挿入可能に構成することもできる。
【００１４】
装着具は、挟み片４、指挿入部５を消毒液に対する含浸性を有し、かつ、柔軟性を有する材料により形成される基体６上に一体に形成することにより、全体の構造を簡単にし、コスト低減を図ることが可能にされる。
【００１５】
この場合、基体６には、脱脂綿等のほかに、アルコール等の消毒液に対して透過性を有し、血液等の体液、あるいはウイルスに対しては遮蔽性を有するフィルタ素材を使用することが可能であり、この場合には、血液を介した感染を確実に防止することが可能になる。
また、本発明によれば、
鍼治療時に鍼体１を摘んで保持する押手形成指２と鍼体１、および前記押手形成指２と被治療者の施術野体表３との間に介在する一側縁において連結された２片の挟み片４と、
前記挟み片４の連結側端縁に向けて開放され、押手形成指２を挿入して前記挟み片４を押手形成指２に保持する指挿入部５とを有し、
前記挟み片４が、消毒液に対する含浸性を有し、かつ、柔軟性を有する材料により形成される鍼治療用押手装着具を提供することも可能である。
【発明の効果】
【００１６】
本発明によれば、使い勝手が良好で、かつ、鍼治療時の感染防止を図ることができる。
【図面の簡単な説明】
【００１７】
【図１】本発明の鍼治療用押手装着具を示す図で、（ａ）は挟み片の自由端側から見た斜視図、（ｂ）は指挿入部側から見た斜視図である。
【図２】図１の使用状態を示す図で、（ａ）は被治療者の体表に平行な面で切断した断面図、（ｂ）は（ａ）の２Ｂ-２Ｂ線断面図である。
【図３】図１の変形例を示す図で、（ａ）は一部を破断して示す斜視図、（ｂ）は装着操作を示す図、（ｃ）は装着後を示す断面図である。
【図４】本発明の他の実施の形態を示す図で、（ａ）は一部を破断して示す斜視図、（ｂ）は図２（ａ）に対応する図、（ｃ）は図２（ｂ）に対応する図である。
【図５】図４の変形例を示す図４（ａ）に対応する斜視図である。
【図６】図４のさらに他の変形例を示す図で、（ａ）は（ｂ）の６Ａ-６Ａ線断面図、（ｃ）は（ｂ）の右側面図である。
【発明を実施するための形態】
【００１８】
図１に本発明の実施の形態を示す。この実施の形態において、装着具は脱脂綿を直方体に切断したカット綿を基体６とし、この基体６に挟み片４と指挿入部５とを設けて形成される。
【００１９】
挟み片４は、基体６を一側壁部において連結した状態で厚み方向に２分割して形成され、指挿入部５は２片の挟み片４の各々に形成される。指挿入部５は、連結側壁面を開放端として非連結側端縁方向に開口して形成される。
【００２０】
カット綿は、一方向に向けた積層状の構造を有し、積層方向（厚み方向）に一定の剥離方向をもっているために、カット綿を基体６として使用するこの実施の形態において、挟み片４は、基体６の厚み方向中心部から対向壁面に向けて上下に剥離されて形成され、剥離操作を対向壁面の手前で停止させることにより、連結端が構成される。
【００２１】
また、同様に、指挿入部５は、挟み片４の連結端の中間部を幅方向端部を除いて奥行き方向に向けて厚さ方向に剥離することにより形成される。
【００２２】
図２に上述した装着具の使用状態を示す。装着具は、上記各挟み片４に形成される２個の指挿入部５に押手を形成する指（この実施の形態においては拇指と示指）を各々挿入した状態で使用され、装着に際し、あるいは装着後に基体６に消毒用アルコールを含ませ、その状態で被治療者の体表３（施術野）を拭いて消毒する。
【００２３】
この後、上述したように、前揉をし、次いで、図２に示すように、押手により鍼体１を挿入した鍼管８を施術野の上に保持する立管操作が行われる。前揉は装着具を装着したままの押手で行うことが可能であり、立管時においては、押手形成指２と被治療者の体表３、および押手形成指２と鍼管８との間に挟み片４が介在する状態となる。
【００２４】
この状態から切皮・弾入をし、さらに鍼管８を抜管した後、鍼体１の刺入によって体表３から感染原因となる血液等の体液が滲み出ても押手形成指２と被治療者の体表３、および押手形成指２と鍼体１との間には挟み片４が介在して直接接触を防ぐ物理的隔壁として機能する上に、挟み片４には消毒用アルコールを含浸させているために、ウイルス等は移動経路で殺菌される。
【００２５】
上述した刺入操作を終了して鍼体１を抜鍼して治療を終了した後においては、装着具を装着したまま、後揉、および抜鍼部位の消毒を行い、全操作が終了したときに装着具を押手から取り外してそのまま廃棄することができる。
【００２６】
上述したように、装着具への消毒用アルコールの含浸操作は、押手形成指２に装着した後行うことも、あるいは予め含浸させた状態で装着することもできる。予め消毒用アルコールを含浸させた状態で利用者に供給する場合、指挿入部５の開口が密着して装着操作時の操作性が低下する虞があるために、図３に示すように、指挿入部５に予めスペーサ９を挿入しておくことができる。スペーサ９は、例えば、アルコールに対する不溶性を有する合成樹脂材等により指を挿入した際に概ね指に沿って変形可能で、かつ、（ａ）の状態で補計できる程度の適度の剛性を有するフィルム状に形成することができる。
【００２７】
使用は、まず、図３（ｂ）に示すように、挿入指でスペーサ９を押しのけるようにして指挿入部５の開放端を確保した状態で指を挿入し、その後、図３（ｂ）において矢印で示すように、スペーサ９を抜去することにより行われる。
【００２８】
また、以上の説明においては、各指挿入部５には各々１本の指を挿入する場合を示したが、複数本の指を挿入するように構成することも可能である。さらに、指挿入部５、および挟み片４は、基体６を剥離しただけで形成される場合を示したが、必要に応じて、適宜縫製、あるいは縁取り操作を加えることが可能である。
【００２９】
加えて、基体６は脱脂綿により形成される場合が説明されているが、消毒液に対する含浸性能を有するものであれば、適宜の材料を使用することができる。
【００３０】
また、上記実施の形態において、１個の基体６上に指挿入部５、挟み片４を一体に形成する場合を示したが、例えば、各々別体として形成される指挿入部５を備えた挟み片４を適宜部材により連結して形成したり、あるいは同一基体６上に形成される２片の挟み片４の各々にベルト体を連結して指挿入部５とすることが可能である。
【００３１】
図４に本発明の他の実施の形態を示す。なお、本実施の形態の説明において、上述した実施の形態と同一の構成要素は図中に同一の符号を付して説明を省略する。
【００３２】
この実施の形態において、指挿入部５の内壁部には血液等の体液の透過を遮断するバリア層７が形成される。バリア層７は、合成樹脂製の薄くて柔軟なフィルムにより形成され、折り畳んだ状態で指挿入部５に押し込まれて装着される。
【００３３】
指２への装着は、指挿入部５から指先がバリア層７の間隙部７ａに対応するように挿入した後、間隙部７ａをくぐらせるようにして指先を下方に押し付けた後、図４（ａ）において左側に指をずらせて折り返し部７ｂに指を滑り込ませて行うことができる。図４（ｂ）、（ｃ）に示すように、装着状態において押手形成指２と鍼管８、あるいは抜管後の鍼体１、および被治療者の体表３との間には、消毒用アルコールを含んだ挟み片４とバリア層７が介在するために、感染を確実に防止することができる。
【００３４】
なお、以上においてバリア層７は折り畳んだフィルムを指挿入部５に押し込んで形成される場合が示されているが、筒状に形成されたフィルムを指挿入部５に押し込むこともできる。
【００３５】
また、バリア層７はフィルムを単に指挿入部５に押し込む以外に、適宜箇所を粘着剤、あるいは接着剤等を使用して指挿入部５の内壁に固定することもでき、さらに、指の挿入を容易にするために、図５に示すように、バリア層７の端部に舌片７ｃを突設することもできる。この場合、装着は、舌片７ｃを挟んで上方に引き上げた状態で指挿入部５から指先がバリア層７の間隙部７ａに対応するように挿入した後、間隙部７ａをくぐらせるようにして指先を下方に押し付けた後、図５において左側に指をずらせて折り返し部７ｂに指を滑り込ませて行うことができる。
【００３６】
また、以上においては、基体６を脱脂綿により形成した場合を示したが、図６に示すように、消毒用アルコール等に対して透過性を有し、かつ、血液等の体液、あるいはウイルスに対して遮蔽性を有する柔軟なフィルタ膜により形成することができる。
【００３７】
上述したフィルタ膜を使用した装着具は種々の形状に形成することが可能であるが、図６に示す変形例において、指挿入部５は、上記フィルタ膜により形成されるベースプレート１０の両端に同様のフィルタ膜を接合して形成され、中央部から折って使用される。
【符号の説明】
【００３８】
１        鍼体
２        押手形成指
３        体表
４        挟み片
５        指挿入部
６        基体
７        バリア層
【図１】
0005855860.tif 000002
【図２】
0005855860.tif 000003
【図３】
0005855860.tif 000004
【図４】
0005855860.tif 000005
【図５】
0005855860.tif 000006
【図６】
0005855860.tif 000007